(57)【要約】      （修正有）【課題】従来のハードディスク挿抜の操作性および構成の変更を最小限に抑えつつ、冷却効率の向上およびハードディスクバックプレンへの塵埃の付着を低減する。【解決手段】冷却風流路１０１に対しハードディスクバックプレン１０４のコネクタ設置平面を平行に設置し、ハードディスク１１４のコネクタ１０６を有する平面が冷却流路に平行に設置する。ハードディスクトレイ１０５の中をハードディスクが、ハードディスクバックプレンのコネクタ設置平面と垂直に移動可能とし、ハードディスクトレイを筐体正面より挿抜可能に設定する。【選択図】図１
2008269668.tif 000002
【特許請求の範囲】
【請求項１】
冷却風流路に対しハードディスクバックプレンのコネクタ設置平面を平行に設置し、
ハードディスクのコネクタを有する平面が冷却流路に平行に設置され、
ハードディスクトレイの中を該ハードディスクが、該ハードディスクバックプレンのコネクタ設置平面と垂直に移動可能であり、該ハードディスクトレイを筐体正面より挿抜可能であることを特徴とする電子機器。
【請求項２】
冷却風流路に対しハードディスクバックプレンのコネクタ設置平面を平行に設置し、
ハードディスクのコネクタを有する平面が冷却流路に平行に設置され、
該ハードディスクバックプレンと該ハードディスクとを有するハードディスクケージが筐体に対し回転可能ありで、該ハードディスクを筐体正面より挿抜可能であることを特徴とする電子機器。
【請求項３】
請求項１に記載の電子機器であって、
該ハードディスクを有するハードディスクケージに冷却流路に対し平行な吸い込み口および吐き出し口を有するFANを該ハードディスクケージの冷却流路下流側面に固定したことを特徴とする電子機器。
【請求項４】
請求項２に記載の電子機器であって、
該ハードディスクを有するハードディスクケージに冷却流路に対し平行な吸い込み口および吐き出し口を有するFANを該ハードディスクケージの冷却流路下流側面に固定したことを特徴とする電子機器。
【発明の詳細な説明】
【技術分野】
【０００１】
本発明は、ハードディスクバックプレンを有する電子機器に関する。
【背景技術】
【０００２】
ハードディスクやCPUなどの電子部品は、高性能化に伴い、また高信頼性を維持するために十分な冷却が求められる。冷却効率の向上を目的とした技術は特許文献１がある。
【０００３】
ハードディスクバックプレンなどの電子機器内部の基板の配線やコネクタ部は、冷却風などにより吸い込まれた塵埃の付着により短絡や腐食を起こすことが知られている。ハードディスクバックプレンのコネクタ部の塵埃の除去を目的とした技術は特許文献２がある。
【０００４】
【特許文献１】特開2005-11304号公報
【特許文献２】特開2004-63265号公報
【発明の開示】
【発明が解決しようとする課題】
【０００５】
タワータイプの隣接設置やラックマウントタイプを考慮し、ハードディスクは筐体正面より挿抜される電子機器が多い。これらの電子機器でハードディスクの活栓挿抜を可能としている電子機器では、ハードディスクの挿抜方向と垂直にハードディスクバックプレンを設置している。つまり、ハードディスクバックプレンが冷却風流路に対し垂直に設置されると、流路が複雑になり、ハードディスクバックプレンに設置できる開口に限りがあることより、流路抵抗が増大する。
【０００６】
また、ハードディスクバックプレンが冷却流路に対し垂直に設置されることにより、塵埃が付着し短絡や配線の腐食の可能性が増大する。
【０００７】
本発明の目的は、流路抵抗の低減とハードディスクバンクプレンのコネクタおよび配線への塵埃の付着を低減させることができる電子機器を提供することにある。
【課題を解決するための手段】
【０００８】
上記目的を達成するために本発明は、冷却風流路に対しハードディスクバックプレンのコネクタ設置平面を平行に設置し、ハードディスクのコネクタを有する平面が冷却流路に平行に設置され、ハードディスクトレイの中を該ハードディスクが、該ハードディスクバックプレンのコネクタ設置平面と垂直に移動可能であり、該ハードディスクトレイを筐体正面より挿抜可能である構成を採用した。
【発明の効果】
【０００９】
本発明によれば、ハードディスクを筐体正面より挿抜可能な状態でハードディスクバックプレンを冷却流路に対し平行に設置できるため、流路抵抗を低減し電子気の冷却効率が向上する。
【発明を実施するための最良の形態】
【００１０】
本発明の一実施の形態を、以下、図面を用いて詳細に説明する。なお、本実施形態は、冷却効率の向上と塵埃の付着を低減するという目的を、電子機器の従来の操作性および従来の構成を損なわずに実現した。
【実施例１】
【００１１】
図１は、実施例１の構成図である。筐体前面１１２より筐体背面１１３へと直線的に流れる冷却風流路１０１に対しハードディスクバックプレン１０４を平行に設置している。
【００１２】
ハードディスクバックプレン１０４とハードディスク１１４を収納したハードディスクトレイ１０５を固定するハードディスクケージを、筐体前面１１２側に設置し、ハードディスクコネクタ１０６を有するハードディスク１１４の平面を、流路に対し平行になるようハードディスクケージ１０７を設置する。一般的なその他の電子機器の部品の設置の例としては、ハードディスクケージ上部に、5インチデバイス１０９を設置し、ハードディスクケージ１０７の後方にベースボードを設置し、さらにその後方にFAN１０８を設置する。電源１１０は、5インチデバイス１０９後方かつベースボード１１１上部に設置する。こうすることで、冷却風は、ハードディスク１１４の間を通った後にベースボード１１１上の電子部品を冷却し、直線的にFAN１０８により筐体外部へ排出されるため、流路損失を少なく抑えることができる。
【００１３】
図３は、筐体前面でハードディスクの挿抜を実現するための、ハードディスクケージ１０７とハードディスクトレイ１０５の関係を示す。ハードディスクケージ１０７は、ハードディスクトレイ１０５の間を抜けてくる冷却風を装置後方へ流すための風穴３０２と、ハードディスクバックプレンのコネクタなどを避けるための穴３０３があり、ハードディスクトレイの位置決めおよび挿抜を行うためのレール３０１がある。また、ハードディスクトレイ１０５とハードディスクケージ１０７は、ハードディスクトレイ１０５の固定フランジ３０６と、ハードディスクケージ１０７の固定穴３０７で固定される。固定はねじでもよいし、一般的なレバーもしくはプッシュピンの機構でもよい。
【００１４】
ハードディスクトレイ１０５には、ハードディスクケージ１０７へ挿入もしくは排出される際に、ハードディスク接続用のコネクタ１０６との干渉を避けるためコネクタ逃げ３０８を備え、ハードディスク１１４表面に冷却風を流すために風穴３０５があり、ハードディスク１１４を固定もしくは挿抜するためのハードディスク固定機構３１０がある。ハードディスク固定機構は図４および図５に示すので、後で説明する。
【００１５】
ハードディスク１１４は、コネクタ１０６との勘合のための位置決めと、ハードディスクトレイの中をスムーズにスライドするため、ハードディスクレール３０４が固定されている。ハードディスクレール３０４とハードディスク１１４の固定はねじが一般的だが、ピンのみの固定でもハードディスクトレイ１０５に収納されている間はねじ同様に固定が可能である。
【００１６】
図４は、ハードディスク固定機構３１０の例である。ハードディスク１１４に固定されたハードディスクレール３０４に、ガイド４０４の切り欠き部を設ける。ハードディスクトレイ１０５の筐体前面側の一部にレバー固定フランジ４０１を設け、そこにピン４０３を介しレバー４０２を回転可能な状態で固定する。レバー４０２を閉じた状態、つまりレバー４０２をハードディスク固定位置４０５へ移動させると、ハードディスク１１４はコネクタ側４０８へ押し付けられコネクタの反対側４０９へ移動できなくなり、ハードディスク１１４とコネクタ１０６は嵌合状態になる。ハードディスク１１４を抜く場合はレバー４０２を時計周りに90度回転させる。つまり、レバー４０２をハードディスクトレイ挿抜位置４０６に移動させると、レバー４０２が切り欠き４０４を介してハードディスク１１４をコネクタの反対側４０９方向へ移動させる。このときハードディスク１１４とコネクタ１０６は非接触状態になる。この状態で、レバー４０６をハードディスクトレイ挿抜方向１０２の筐体前面より筐体から離れる方向へ引くと、ハードディスクトレイ１０５はハードディスク１１４とともにハードディスクケージ１０７つまり筐体１０３より取り外すことができる。ハードディスク１１４は、ハードディスクトレイ１０５が筐体１０３より取り外された状態で、レバー４０６をさらに時計回りに回転されると、ガイド４０４よりレバー４０６が外れ、ハードディスク１１４がハードディスクトレイ１０５より取り外しができる。ハードディスク１１４の筐体内への挿入方法はこの逆の手順で可能である。
【００１７】
図５、はハードディスク固定機構３１０の他の例である。ハードディスク１１４に固定されたハードディスクレール３０４の筐体前面側に、ばね性を持たせた取っ手５０１とロック５０４を設ける。ハードディスクトレイ１０５には、ロック５０４を固定するスリットを設置する。スリットは、ハードディスク固定位置穴５０２とハードディスクコネクタ開放位置穴５０３を設け、ハードディスク１１４とコネクタ１０６を嵌合させるときは、ロック５０４をハードディスク固定位置穴５０２で固定し、ハードディスク１１４とコネクタ１０６を非接触状態にする場合は、ロック５０４をハードディスクコネクタ開放位置穴５０３で固定すればよい。この状態で、取っ手５０１をハードディスクトレイ挿抜方向１０２の筐体前面より筐体から離れる方向へ引くと、ハードディスクトレイ１０５はハードディスク１１４ととも、にハードディスクケージ１０７つまり筐体１０３より取り外すことができる。さらに、ロック５０４をスリットからはずしコネクタの反対側４０９方向へ引くと、ハードディスク１１４をハードディスクトレイ１０５より取り出すことができる。ハードディスク１１４の筐体内への挿入方法はこの逆の手順で可能である。
【００１８】
これにより従来の電子機器の操作性および構成を損なわずに、冷却効率の向上とハードディスクバックプレンへの塵埃の付着を低減することができる。
【実施例２】
【００１９】
図２は、実施例２の構成図である。実施例１で説明した構成と異なる点は、ハードディスクトレイ１０５とハードディスク１１４は固定されており、ハードディスクトレイ１０５の挿抜方向１０２が、ハードディスクバックプレン１０４のコネクタ１０６設置平面に垂直である点、つまり筐体前面１１２と平行で筐体側面に向かって挿抜される方向である点である。筐体前面１１２でのハードディスクトレイ１０５の挿抜を実現するために、ハードディスクバックプレン１０４とハードディスクトレイ１０５が固定されたハードディスクケージ１０７を、筐体１０３に対し回転させる。回転方向は、ハードディスクバックプレン１０４が筐体背面１１３側へ来るような方向である。回転角度は、ハードディスクトレイ１０５が筐体前面１１２より挿抜可能な位置まで必要である。
【００２０】
図６は、ハードディスクケージ１０７を筐体１０３に対し回転させる構成の一例を示している。ヒンジピン６０２とロック６０３を有するヒンジ６０１を、ヒンジ固定穴６０４に皿ねじなどを挿入して筐体１０３へ固定する。ハードディスクケージ１０７には、ヒンジピン６０２が固定されるヒンジピン用穴６０５、ハードディスクケージ１０７を筐体内部に納めるときに使用するハードディスクケージ収納位置固定穴６０６、およびハードディスクトレイ１０５を筐体１０３より取り出す際に使用するハードディスクトレイ挿抜位置固定穴６０７を設置する。このヒンジ６０１とヒンジ用穴を、ハードディスクケージ１０７の上下両側へ設置することにより、ハードディスクケージ１０７を筐体１０３に対して回転可能にする。
【００２１】
これにより、従来の電子機器の操作性および構成を損なわずに冷却効率の向上とハードディスクバックプレンへの塵埃の付着を低減することができる。
【実施例３】
【００２２】
図７は、実施例３の構成図である。実施例１のハードディスクケージ１０７の冷却風流路１０１の下流側、つまりハードディスクケージ１０７の背面側にFAN１０８を固定させる。FAN１０８の固定は、ハードディスクバックプレン１０４がハードディスクケージ１０７の異なる面に固定されているため、FAN１０８の吸い込み口をハードディスクケージ１０７に密接させることができ、少ないスペースで冷却流路を変えずに冷却の強化が可能である。FAN１０８の固定方法の例は、図８で示すように、FAN固定ロック８０１、FANフォルダ固定ロック８０２、FANフォルダ固定フック８０３、FAN１０８の吹き出し用開口８０４を設置したFANフォルダ７０１内部に、FAN１０８をFAN固定ロック８０１で固定し、FANフォルダ７０１のFANフォルダ固定フック８０３を、ハードディスクケージ１０７に設けたFANフォルダ固定フック穴８０７に差し込み、FANフォルダ固定ロック８０２をFANフォルダ固定ロック穴８０６へ差し込むことで固定することができる。
【００２３】
これにより実施例１説明した構成に対し少ないスペースで冷却の強化ができる。
【実施例４】
【００２４】
図７は、実施例４の構成図である。実施例２のハードディスクケージ１０７の冷却風流路１０１の下流側、つまりハードディスクケージ１０７の背面側にFAN１０８を固定させる。FAN１０８の固定は、ハードディスクバックプレン１０４がハードディスクケージ１０７の異なる面に固定されているため、FAN１０８の吸い込み口をハードディスクケージ１０７に密接させることができ、少ないスペースで冷却流路を変えずに冷却の強化が可能である。FAN１０８の固定方法の例は、図８で示すように、FAN固定ロック８０１、FANフォルダ固定ロック８０２、FANフォルダ固定フック８０３、FAN１０８の吹き出し用開口８０４を設置したFANフォルダ７０１内部にFAN１０８をFAN固定ロック８０１で固定し、FANフォルダ７０１のFANフォルダ固定フック８０３を、ハードディスクケージ１０７に設けたFANフォルダ固定フック穴８０７に差し込み、FANフォルダ固定ロック８０２をFANフォルダ固定ロック穴８０６へ差し込み固定することができる。
【００２５】
これにより実施例２説明した構成に対し少ないスペースで冷却の強化ができる。
【００２６】
上記各実施例によれば、冷却効率向上に伴い電子機器の信頼性の向上と騒音の低減ができる利点がある。また、ハードディスクバックプレンの基板表面に冷却風が流れるため、基板面およびコネクタへの塵埃の付着を低減させ短絡や腐食の危険を低減させる利点がある。
【００２７】
さらに、ハードディスクバックプレンとベースボード等を結ぶケーブルが冷却風流路にないため、冷却FANによるケーブルの断線の危険がなく、吸い込み口と吐き出し口を冷却風流路に平行に設置し、かつハードディスクを収めているケージに密接できるため、電子機器を前後方向に小型化できる利点がある。
【図面の簡単な説明】
【００２８】
【図１】実施例１に係わる構成図である。
【図２】実施例２に係わる構成図である。
【図３】実施例１に係わるハードディスク固定方法の分解斜視図である。
【図４】実施例１に係わるハードディスク固定方法の平面図である。
【図５】実施例１に係わるハードディスク固定方法の平面図である。
【図６】実施例２に係わるハードディスクケージの回転方法分解斜視図である。
【図７】実施例３および実施例４に係わる構成図である
【図８】実施例３および実施例４に係わるFANの固定方法の分解斜視図である。
【符号の説明】
【００２９】
１０１  冷却風流路
１０２  ハードディスクトレイ挿抜方向
１０３  筐体
１０４  ハードディスクバックプレン
１０５  ハードディスクトレイ
１０６  コネクタ
１０７  ハードディスクケージ
１０８  FAN
１０９  ５インチデバイス
１１０  電源ユニット
１１１  ベースボード
１１２  筐体前面
１１３  筐体背面
１１４  ハードディスク
【図１】
2008269668.tif 000003
【図２】
2008269668.tif 000004
【図３】
2008269668.tif 000005
【図４】
2008269668.tif 000006
【図５】
2008269668.tif 000007
【図６】
2008269668.tif 000008
【図７】
2008269668.tif 000009
【図８】
2008269668.tif 000010